(57)【要約】【課題】手間や煩雑さが生じることなくロックの設定／解除を行う。【解決手段】キーレスエントリ用アンテナ６にて受信したキーレスエントリ用搬送波をキーレスエントリ用搬送波復調部５にて復調し、キーレスエントリ用搬送波が予め決められた立ち上がり及び立ち下がりタイミングを有するものであるかどうかをＣＰＵ２にて判断し、キーレスエントリ用搬送波復調部５にて復調されたキーレスエントリ用搬送波が予め決められた立ち上がり及び立ち下がりタイミングを有するものであると判断された場合は、制御部１において携帯電話機１００のロックを設定／解除する。【選択図】図１
2009033314.tif 000002
【特許請求の範囲】
【請求項１】
操作を禁止するロック機能を有する携帯電話機において、
ドアロック用のキーレスエントリ用搬送波を受信する搬送波受信手段と、
前記搬送波受信手段にて受信されたキーレスエントリ用搬送波を復調する復調手段と、
前記復調手段にて復調されたキーレスエントリ用搬送波が予め決められた立ち上がり及び立ち下がりタイミングを有するものであるかどうかを判断する判断手段と、
前記復調手段にて復調されたキーレスエントリ用搬送波が予め決められた立ち上がり及び立ち下がりタイミングを有するものであると前記判断手段にて判断された場合、前記携帯電話機のロックを設定／解除する制御手段とを有することを特徴とする携帯電話機。
【請求項２】
請求項１に記載の携帯電話機において、
前記判断手段は、前記復調手段にて復調されたキーレスエントリ用搬送波が、前記携帯電話機をロックさせるための立ち上がり及び立ち下がりタイミングを有するものであるかどうか、前記携帯電話機のロックを解除するための立ち上がり及び立ち下がりタイミングを有するものであるかどうかを判断し、
前記制御手段は、前記復調手段にて復調されたキーレスエントリ用搬送波が前記携帯電話機をロックさせるための立ち上がり及び立ち下がりタイミングを有するものであると前記判断手段にて判断された場合は前記携帯電話機をロックし、また、前記復調手段にて復調されたキーレスエントリ用搬送波が前記携帯電話機のロックを解除するための立ち上がり及び立ち下がりタイミングを有するものであると前記判断手段にて判断された場合は前記携帯電話機のロックを解除する制御を行うことを特徴とする携帯電話機。
【発明の詳細な説明】
【技術分野】
【０００１】
本発明は、携帯電話機に関し、特に、携帯電話機のロック技術に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、近年では、一般のパーソナルコンピュータと同様に、電子メールを送信したり、インターネットに接続したりすることができるようになり、さらには、多量の情報を記憶しておく機能を有するものがほとんどとなっている。
【０００３】
そのため、近年の携帯電話機においては、外部からの操作を禁止するロック機能が設定されており、このロック機構によって携帯電話機にロックをかけたりロックを解除したりすることが可能となっている。
【０００４】
図５は、従来の携帯電話機の回路例を示すブロック図である。
【０００５】
本従来例は図５に示すように、制御部１とＣＰＵ２と無線部３とアンテナ４とを有している。このように構成された携帯電話機５００においては、メニュー画面等からロック機能を選択し、ロックの設定／解除を行うことになる。
【０００６】
図６は、従来の携帯電話機にてロックの設定／解除を行う際のメニュー画面の例を示す図である。
【０００７】
図６（ａ），（ｂ）に示すように、従来の携帯電話機にてロックの設定／解除を行う場合は、携帯電話機の製造メーカ毎に設定されたメニュー画面を用いてロックの設定／解除を行うことになる。
【０００８】
このように、従来の携帯電話機においては、携帯電話機にロックをかけたりロックを解除したりする際にメニュー画面等からロック機能を選択してロックの設定を行う必要があるため、操作が非常に煩雑となってしまう。
【０００９】
また、携帯電話機の製造メーカ毎にロックのかけ方やロックの解除方法が異なっているため、携帯電話機にロックをかけたりロックを解除したりする際にユーザは携帯電話機の製造メーカ毎の操作方法をそれぞれ確認する必要があり手間がかかってしまう。
【００１０】
ここで、非接触ＩＣカードを用いて携帯電話機のロックの設定／解除を行う技術が考えられている（例えば、特許文献１参照。）。この技術を用いれば、携帯電話機のロックの設定／解除を行う際の手間が軽減されることとなる。
【特許文献１】特開２００６−２７９５７２号公報
【発明の開示】
【発明が解決しようとする課題】
【００１１】
しかしながら、上述したような非接触ＩＣカードを用いて携帯電話機のロックの設定／解除を行う技術においては、非接触ＩＣカードを所持しておく必要があり、煩わしさが生じてしまうという問題点がある。特に、非接触型ＩＣカードといった紛失の可能性が高いものを利用しているため、その管理に煩雑さを覚えてしまうことを否めない。
【００１２】
本発明は、上述したような従来の技術が有する問題点に鑑みてなされたものであって、手間や煩雑さが生じることなくロックの設定／解除を行うことができる携帯電話機を提供することを目的とする。
【課題を解決するための手段】
【００１３】
上記目的を達成するために本発明は、
操作を禁止するロック機能を有する携帯電話機において、
ドアロック用のキーレスエントリ用搬送波を受信する搬送波受信手段と、
前記搬送波受信手段にて受信されたキーレスエントリ用搬送波を復調する復調手段と、
前記復調手段にて復調されたキーレスエントリ用搬送波が予め決められた立ち上がり及び立ち下がりタイミングを有するものであるかどうかを判断する判断手段と、
前記復調手段にて復調されたキーレスエントリ用搬送波が予め決められた立ち上がり及び立ち下がりタイミングを有するものであると前記判断手段にて判断された場合、前記携帯電話機のロックを設定／解除する制御手段とを有することを特徴とする。
【発明の効果】
【００１４】
以上説明したように本発明においては、携帯電話機にロックをかけたりロックを解除したりする際に、キーレスエントリシステムの搬送波を利用することにより、手間や煩雑さが生じることなく、携帯電話機にロックをかけたりロックを解除したりすることができる。
【発明を実施するための最良の形態】
【００１５】
以下に、本発明の実施の形態について図面を参照して説明する。
【００１６】
図１は、本発明の携帯電話機の実施の一形態を示す図である。
【００１７】
本形態は図１に示すように、通常の通信における情報の送受信を行うアンテナ４及び無線部３と、搬送波受信手段であるキーレスエントリ用アンテナ６と、復調手段であるキーレスエントリ用搬送波復調部５と、判断手段であるＣＰＵ２と、制御部１とから構成されている。
【００１８】
キーレスエントリ用アンテナ６は、自動車等に用いられているドアロック用のキーレスエントリ用のＡＳＫ変調の搬送波を受信する。
【００１９】
キーレスエントリ用搬送波復調部５は、キーレスエントリ用アンテナ６にて受信されたキーレスエントリ用搬送波を復調し、キーレスエントリ用のＡＳＫ変調の搬送波を内部のクロックと同期させて立ち上がりのタイミングと立ち下がりのタイミングのデータをＣＰＵ２に送出する。
【００２０】
ＣＰＵ２は、携帯電話機１００全般の制御及びキーレスエントリ用搬送波復調部５にて復調されたデータ（キーレスエントリ用のＡＳＫ変調の搬送波をキーレスエントリ用搬送波復調部５の内部のクロックと同期させて、立ち上がりのタイミングと立ち下りのタイミングを表すもの）を受信し、その受信したデータがユーザによって予め登録してあるキーレスエントリ用のＡＳＫ変調の搬送波の立ち上がりのタイミングと立ち下りのタイミングと一致するデータである場合に、制御部１に携帯電話機１００にロックをかけたりロックを解除したりするための制御信号を送出する。
【００２１】
制御部１は、携帯電話機１００全体の制御及びＣＰＵ２からの制御信号を受信して携帯電話機にロックをかけたりロックを解除したりする。
【００２２】
以下に、上記のように構成された携帯電話機１００の動作について説明する。
【００２３】
図２は、図１に示した携帯電話機１００を利用する場合の環境の一例を示す図であり、図３は、図１に示した携帯電話機１００の動作を説明するためのフローチャートである。
【００２４】
まず、図２に示すように、携帯電話機１００がキーレスエントリシステム付きの鍵２００に近接する環境において（ステップＳ１）、携帯電話機１００のキーレスエントリ用アンテナ６にて鍵２０からのキーレスエントリ用のＡＳＫ変調の搬送波が受信される（ステップＳ２）。
【００２５】
すると、携帯電話機１００のキーレスエントリ用搬送波復調部５において、キーレスエントリ用アンテナ６にて受信されたキーレスエントリ用のＡＳＫ変調の搬送波が復調され（ステップＳ３）、内部のクロックと同期させられて立ち上がりのタイミングと立ち下りのタイミングのデータがＣＰＵ２に送出される（ステップＳ４）。
【００２６】
次に、携帯電話機１００のＣＰＵ２において、キーレスエントリ用搬送波復調部５から送出されてきた立ち上がりのタイミングと立ち下りのタイミングのデータがユーザによって予め登録されたデータかどうか確認され（ステップＳ５）、キーレスエントリ用搬送波復調部５から送出されてきた立ち上がりのタイミングと立ち下りのタイミングのデータがユーザによって予め登録されたデータである場合は、その立ち上がりのタイミングと立ち下りのタイミングのデータがロックをかけるためのデータなのかまたはロックを解除するためのデータなのかが確認される（ステップＳ６）。
【００２７】
図４は、図１に示した携帯電話機１００のＣＰＵ２における判断方法を説明するための図である。
【００２８】
図４に示すように、キーレスエントリ用搬送波復調部５において、携帯電話機１００にロックをかける場合とロックを解除する場合のデータパターンを予め記憶しておき、このデータパターンによるクロックとキーレスエントリ用アンテナ６にて受信されたキーレスエントリ用のＡＳＫ変調の搬送波とを同期させ、キーレスエントリ用アンテナ６にて受信されたキーレスエントリ用のＡＳＫ変調の搬送波が予め記憶されたクロックと同一であるかを照合する。
【００２９】
例えば、図４に示したものにおいては、携帯電話機１００にロックをかける場合は、“Ａ”，“Ｄ”，“Ｆ”，Ｊ“で立ち上がり、“Ｂ”，“Ｅ”，“Ｈ”，Ｋ“で立ち上がるデータを記憶しておく。
【００３０】
一方、キーレスエントリ用搬送波復調部５から送出されてきた立ち上がりのタイミングと立ち下りのタイミングのデータがユーザによって予め登録されたデータではない場合は、ＣＰＵ２から制御部１への制御信号の送出は行われない（ステップＳ７）。
【００３１】
キーレスエントリ用搬送波復調部５から送出されてきた立ち上がりのタイミングと立ち下りのタイミングのデータが携帯電話機１００にロックをかけるためのデータである場合は、携帯電話機１００にロックをかけるような制御信号がＣＰＵ２から制御部１に送出される（ステップＳ８）。
【００３２】
制御部１においては、ＣＰＵ２から制御信号を受信すると、携帯電話機１００にロックをかける制御が行われる（ステップＳ９）。
【００３３】
また、キーレスエントリ用搬送波復調部５から送出されてきた立ち上がりのタイミングと立ち下りのタイミングのデータが携帯電話機１００のロックを解除するためのデータである場合は、携帯電話機１００のロックを解除するような制御信号がＣＰＵ２から制御部１に送出される（ステップＳ１０）。
【００３４】
制御部１においては、ＣＰＵ２から制御信号を受信すると、携帯電話機１００のロックを解除する制御が行われる（ステップＳ１１）。
【図面の簡単な説明】
【００３５】
【図１】本発明の携帯電話機の実施の一形態を示す図である。
【図２】図１に示した携帯電話機を利用する場合の環境の一例を示す図である。
【図３】図１に示した携帯電話機の動作を説明するためのフローチャートである。
【図４】図１に示した携帯電話機のＣＰＵにおける判断方法を説明するための図である。
【図５】従来の携帯電話機の回路例を示すブロック図である。
【図６】従来の携帯電話機にてロックの設定／解除を行う際のメニュー画面の例を示す図である。
【符号の説明】
【００３６】
１    制御部
２    ＣＰＵ
３    無線部
４    アンテナ
５    キーレスエントリ用搬送波復調部
６    キーレスエントリ用アンテナ
１００    携帯電話機
２００    鍵
【図１】
2009033314.tif 000003
【図２】
2009033314.tif 000004
【図３】
2009033314.tif 000005
【図４】
2009033314.tif 000006
【図５】
2009033314.tif 000007
【図６】
2009033314.tif 000008